(57)【要約】【課題】貯蔵室の所定貯蔵温度範囲と違う貯蔵温度範囲を有する飲食物を貯蔵する冷蔵庫を提供する。【解決手段】冷蔵庫の外観をなす冷蔵庫本体と、前記冷蔵庫本体内に形成され、開口部を有する貯蔵室と、前記貯蔵室の開口部を選択的に開閉するドアと、前記貯蔵室内に着脱可能に収容され、飲食物を貯蔵する貯蔵容器とを含んでなるが、前記貯蔵容器は二重容器構造を有するもので、前記貯蔵容器の外観を形成し開口部を有する外側容器部と、前記外側容器部の開口部を選択的に開閉する蓋体と、前記外側容器部内に設置される内側容器部とを含む。【選択図】　　　　図３
2004037064.tif 000002
【特許請求の範囲】
【請求項１】
冷蔵庫の外観をなす冷蔵庫本体と、
前記冷蔵庫本体内に形成され、開口部を有する貯蔵室と、
前記貯蔵室の開口部を選択的に開閉するドアと、
前記貯蔵室内に着脱可能に収容され、飲食物を貯蔵する貯蔵容器とを含んでなるが、前記貯蔵容器は二重容器構造を有するもので、
前記貯蔵容器の外観を形成し、開口部を有する外側容器部と、
前記外側容器部の開口部を選択的に開閉する蓋体と、
前記外側容器部内に設置される内側容器部とを含むことを特徴とする冷蔵庫。
【請求項２】
前記内側容器部は前記外側容器部内に着脱可能に設置されることを特徴とする請求項１記載の冷蔵庫。
【請求項３】
前記内側容器部は前記外側容器部より低い熱伝導率を有することを特徴とする請求項１記載の冷蔵庫。
【請求項４】
前記内側容器部は、前記内側容器部と前記外側容器部間に空気層を形成するため、前記外側容器部より小さく形成されることを特徴とする請求項１記載の冷蔵庫。
【請求項５】
前記内側容器部は、前記内側容器部の両側壁に一つ以上の手挿入孔が形成されることを特徴とする請求項１記載の冷蔵庫。
【請求項６】
前記内側容器部は前記内側容器部の底部を形成する底板からなり、前記底板は、前記内側容器部内に貯蔵された飲食物から水が前記外側容器部に放出させるため、多数の放出孔を含むことを特徴とする請求項１記載の冷蔵庫。
【請求項７】
前記底板は、前記放出孔の周囲の部位から下方に突出するように前記底板の底部に形成された突出部をさらに含むことを特徴とする請求項６記載の冷蔵庫。
【請求項８】
前記外側容器部は、
底板と、
前記外側容器部の底板から上方に延長される側壁と、
前記外側容器部の側壁の上端に沿って外側に延長されるリブ部と、
前記リブ部の対応部位に形成された取っ手装着凹部と、
前記対応取っ手装着凹部に装着された取っ手と、
前記各取っ手装着凹部の端部に設けられたスライド孔とを含み、
前記各取っ手は、
作用外力によって弾性変形する把持部と、
前記把持部の対応端部から外側に延長され、前記対応スライド孔に沿ってスライドするスライド部と、
前記スライド部が各スライド孔から離脱することを防止するため、前記各スライド部の端部に設けられる係止部とを含むことを特徴とする請求項１記載の冷蔵庫。
【請求項９】
前記冷蔵庫は、
前記貯蔵室を加熱し、前記貯蔵室の外側面の一部を取り囲む電熱線を含む加熱部と、
前記貯蔵室を冷却させるもので、圧縮機、凝縮熱交換器、及び前記貯蔵室の外側面の他部を取り囲む冷媒管を含む冷却部とをさらに含むことを特徴とする請求項１記載の冷蔵庫。
【請求項１０】
前記冷蔵庫はキムチ冷蔵庫であることを特徴とする請求項９記載の冷蔵庫。
【請求項１１】
前記貯蔵容器は一つ以上の部分が透明材料から作られることを特徴とする請求項１記載の冷蔵庫。
【請求項１２】
前記貯蔵容器は前記貯蔵室の内部温度より高い内部温度を維持することを特徴とする請求項１記載の冷蔵庫。
【請求項１３】
前記外側容器部は箱状を有することを特徴とする請求項１記載の冷蔵庫。
【請求項１４】
前記外側容器部の対応側壁には一つ以上の手挿入孔が形成されることを特徴とする請求項１記載の冷蔵庫。
【請求項１５】
前記突出部は前記内側容器部の底面と前記外側容器部の対向面との間に空気層を形成することを特徴とする請求項７記載の冷蔵庫。
【請求項１６】
前記内側容器部は前記内側容器部の底板から上方に延長される側壁をさらに含むことを特徴とする請求項７記載の冷蔵庫。
【請求項１７】
冷蔵庫の外観をなす冷蔵庫本体と、
前記冷蔵庫本体内に形成され、開口部を有する貯蔵室と、
前記貯蔵室の開口部を開閉するドアと、
前記貯蔵室内に着脱可能に収容される貯蔵容器とを含み、
前記貯蔵容器は、
前記貯蔵容器の外観をなし、開口部を有する外側容器部と、
前記外側容器部の開口部を開閉する蓋体と、
前記外側容器部内に設置される内側容器部と、
前記内側容器部と前記外側容器部間に形成される空気通路とを含むことを特徴とする冷蔵庫。
【請求項１８】
前記空気通路は、前記貯蔵室の内部温度より高い内部温度で前記内側容器部を維持するため、前記内側容器部を絶縁させることを特徴とする請求項１７記載の冷蔵庫。
【請求項１９】
前記内側容器部は前記外側容器部内に着脱可能に設置され、多数の放出孔と前記放出孔の周囲の部位に形成された突出部を有する底板を含むことを特徴とする請求項１７記載の冷蔵庫。
【請求項２０】
前記冷蔵庫はキムチ冷蔵庫であることを特徴とする請求項１７記載の冷蔵庫。
【発明の詳細な説明】
【０００１】
【発明の属する技術分野】
本発明は冷蔵庫に係り、より詳しくは飲食物を貯蔵するための貯蔵容器が設けられた冷蔵庫に関するものである。
【０００２】
【従来の技術】
一般に、冷蔵庫は、貯蔵室内に貯蔵された飲食物の新鮮度を維持するため、冷凍サイクルによって蒸発器を用いて冷気を発生して貯蔵室に供給する。標準型冷蔵庫とキムチ冷蔵庫は冷凍機器である。
【０００３】
従来の冷蔵庫は冷蔵庫本体、貯蔵室及びドアからなる。貯蔵室は前記冷蔵庫本体内に形成される。ドアは、貯蔵室を選択的に開閉するため、冷蔵庫本体の一部にヒンジで連結される。また、冷蔵庫は、冷気を貯蔵室に供給するため、冷凍サイクルをなす電気装置を含む。
【０００４】
図１は従来の冷蔵庫内に設けられる貯蔵容器１を示す。この貯蔵容器１は箱状を有し、飲食物を収容するため上部が開放されている。蓋体２は貯蔵容器１の開放上部を閉鎖させる。飲食物を冷蔵庫の貯蔵室内に貯蔵するため、飲食物が貯蔵室１内に置かれ、蓋体２で上部が閉鎖される。
【０００５】
しかし、従来の冷蔵庫は、貯蔵室が所定の貯蔵温度範囲を維持するようにする。したがって、理想的な貯蔵温度範囲が貯蔵室内の所定貯蔵温度範囲と違う多様な飲食物を貯蔵することが難しい。
【０００６】
【発明が解決しようとする課題】
したがって、本発明は前記のような従来の問題点を解決するためになされたもので、その目的は貯蔵室の所定貯蔵温度範囲と違う貯蔵温度範囲を有する飲食物を貯蔵する冷蔵庫を提供することにある。
【０００７】
【課題を解決するための手段】
前記目的を達成するため、本発明は、冷蔵庫の外観をなす冷蔵庫本体と、前記冷蔵庫本体内に形成され、開口部を有する貯蔵室と、前記貯蔵室の開口部を選択的に開閉するドアと、前記貯蔵室内に着脱可能に収容され、飲食物を貯蔵する貯蔵容器とを含んでなるが、前記貯蔵容器は二重容器構造を有するもので、前記貯蔵容器の外観を形成し開口部を有する外側容器部と、前記外側容器部の開口部を選択的に開閉する蓋体と、前記外側容器部内に設置される内側容器部とを含む冷蔵庫を提供する。
【０００８】
前記内側容器部は前記外側容器部内に着脱可能に設置することが好ましい。
【０００９】
前記内側容器部は前記外側容器部より低い熱伝導率を有することが好ましい。
【００１０】
前記内側容器部は、前記内側容器部と前記外側容器部間に空気層を形成するため、前記外側容器部より小さく形成されることが好ましい。
【００１１】
前記内側容器部は、前記内側容器部の両側壁に一つ以上の手挿入孔が形成されることが好ましい。
【００１２】
前記内側容器部は前記内側容器部の底部を形成する底板からなり、前記底板は、前記内側容器部内に貯蔵された飲食物から水が前記外側容器部に放出させるため、多数の放出孔を含むことが好ましい。
【００１３】
前記底板は、前記放出孔の周囲の部位から下方に突出するように前記底板の底部に形成された突出部をさらに含むことが好ましい。
【００１４】
前記外側容器部は、底板と、前記外側容器部の底板から上方に延長される側壁と、前記外側容器部の側壁の上端に沿って外側に延長されるリブ部と、前記リブ部の対応部位に形成された取っ手装着凹部と、前記対応取っ手装着凹部に装着された取っ手と、前記各取っ手装着凹部の端部に設けられたスライド孔とを含むことが好ましい。
【００１５】
前記各取っ手は、作用外力によって弾性変形する把持部と、前記把持部の対応端部から外側に延長され、前記対応スライド孔に沿ってスライドするスライド部と、前記スライド部が各スライド孔から離脱することを防止するため、前記各スライド部の端部に設けられる係止部とを含むことが好ましい。
【００１６】
【発明の実施の形態】
以下、本発明の好ましい実施例を添付図面に基づいて詳細に説明する。
【００１７】
以下で本発明はキムチ冷蔵庫を参照して説明するが、本発明はほかの冷蔵庫にも適用できることが分かるであろう。
【００１８】
図２は本発明の一実施例によるキムチ冷蔵庫を示す。同図に示すように、本発明のキムチ冷蔵庫は、キムチ冷蔵庫の外観をなす冷蔵庫本体１０と、前記冷蔵庫本体１０内に設けられ、開口部を有する貯蔵室２０と、前記貯蔵室２０の開口部を選択的に開閉するドア３０とを含む。
【００１９】
このキムチ冷蔵庫は、貯蔵室２０を冷却させる冷却部と、前記貯蔵室２０内に貯蔵されたキムチなどの飲食物を熟成させる熟成部とをさらに含む。ここで、冷却部は貯蔵室２０を形成するライナー２１の側壁を取り囲むように設置されるもので、蒸発熱交換器として作用する冷媒管２２からなる。前記熟成部は前記ライナー２２の外側面を取り囲むように設置されるもので、電熱線２３からなる。
【００２０】
キムチ冷蔵庫の下部には機械室４０が設けられる。この機械室４０の内部には、毛細管（図示せず）、圧縮機４１及び凝縮熱交換器４２などの電気装置が設けられ、これらの電気装置はライナー２２に設置された冷媒管２２とともに冷凍サイクルをなす。
【００２１】
キムチ冷蔵庫は、所定量のキムチなどの飲食物を別途に貯蔵するため、貯蔵室２０内に収容される貯蔵容器１００をさらに含む。貯蔵容器１００又はその一部は透明材料から作ることができる。
【００２２】
図３及び図４は図２のキムチ冷蔵庫の貯蔵容器１００を示す。この貯蔵容器１００は二重容器構造を有するものであって、外側容器部５０と内側容器部６０を含む。外側容器部５０は箱状を有し、飲食物を収容するため上部が開放されている。内側容器部６０は外側容器部５０内に着脱可能に設けられ、外側容器部５０と内側容器部６０間に空気層を形成するため、外側容器部５０から所定の間隔（Ｃ１）だけ離隔されている。貯蔵容器１００は、外側容器部５０の開放上部を開閉する蓋体７０をさらに含む。
【００２３】
前記外側容器部５０は、飲食物を収容するため、底板５１と側壁５２とからなる。底板５１は外側容器部５０の底部を形成し、側壁５２は前記底板５１から上方に延長される。
【００２４】
外側容器部５０の側壁５２の上端にはリブ部５３が外側に延長される。リブ部５３には、外側容器５０を運搬するための取っ手５４が装着される。取っ手５４をリブ部５３に設けるため、両側のリブ部５３に取っ手装着凹部５３ａが形成される。各取っ手装着凹部５３ａの両端には二つのスライド孔５３ｂが設けられ、このスライド孔５３ｂは各取っ手５４の両端部を収容する。
【００２５】
図５は図３の貯蔵容器１００の取っ手５４を示す。取っ手５４は、把持部５４ａ、二つのスライド部５４ｂ及び二つの係止部５４ｃからなる。前記取っ手５４に外力が作用する場合、把持部５４ａは弧状に弾性変形する。スライド部５４ｂは把持部５４ａの両端部から外側に延長され、取っ手装着凹部５３ａの両側スライド孔５３ｂに沿ってスライド移動する。前記スライド部５４ｂが両側スライド孔５３ｂから不意に分離されることを防止するため、前記スライド部５４ｂの対応端部には係止部５４ｃが設けられる。正常の状態で、各取っ手５４は外側容器部５０の両側取っ手装着凹部５３ａと密接に接触している。取っ手５４に外力が作用する場合、取っ手５４が弧状に変形された状態でスライド部５４ｂがスライド孔５３ｂを通じて移動する。したがって、使用者は把持部５４ａと取っ手装着凹部５３ａ間の間隔に手を入れて把持部５４ａを把持することができる。
【００２６】
図３及び図４において、内側容器部６０は外側容器部５０内に着脱可能に設置される。内側容器部６０は底板６１と側壁６２からなる。側壁６２は底板６１上に置かれた飲食物が底板６１から滑って離脱することを防止する。内側容器部６０は上部が開放された箱状を有するもので、絶縁能力を提供するため、プラスチックモールディング法で製造される。
【００２７】
内側容器部６０が外側容器部５０内に設置された場合、空気層、つまり絶縁空気層を形成するため、内側容器部６０の側壁６２は外側容器部５０の側壁５２から離隔される。内側容器部６０は、例えば、外側容器部５０より低い熱伝導率を有する材料から作られる。
【００２８】
内側容器部６０の側壁６２の両側には手挿入孔６３が設けられる。この手挿入孔６３は内側容器部６０を運搬するのに用いられる。内側容器部６０内に貯蔵された野菜や果物などの飲食物から漏出する水を外側容器部５０に放出させるため、内側容器部６０の底板６１には多数の放出孔６０が形成される。この放出孔６４の周囲の部位は下向突出６５を形成して、内側容器部６０の底板６１を外側容器部５０の底板５１から所定間隔（Ｃ２）だけ離隔させる。したがって、内側容器部６０の底板６１と外側容器部５０の底板５１との間には空気層が形成される。
【００２９】
図６は本発明のほかの実施例による、図２に示す貯蔵容器１００の内側容器部６０を示す。同図に示すように、内側容器部６０には底板６１と手挿入孔６３を設けることができる。
【００３０】
これまで、本発明をキムチ冷蔵庫を参照して説明したが、本発明は冷凍サイクルを用いて飲食物を貯蔵する多様な冷却装置に適用することができる。
【００３１】
以下、本発明によるキムチ冷蔵庫の動作及び効果を図２ないし図４を参照して説明する。
【００３２】
内部に飲食物を収容した内側容器部６０を外側容器部５０内に入れる。その後、外側容器部５０に設けられた取っ手５４を用いて、外側容器部５０を貯蔵室２０内に配置することができる。
【００３３】
キムチ冷蔵庫が動作を開始すると、貯蔵室２０のライナー２１内に設置された冷媒管２により冷気が発生される。したがって、貯蔵室２０の温度がキムチなどの飲食物を貯蔵するための設定温度に到達するまで低下する。
【００３４】
外側容器部５０と内側容器部６０間には空気層が設けられるので、貯蔵容器１００の内部温度は空気層の絶縁効果により貯蔵室２０の内部温度より高く維持される。
【００３５】
【発明の効果】
以上説明したように、本発明は、空気層を介在して外側容器部と内側容器部を含む二重容器構造を有する貯蔵容器を有する冷蔵庫を提供する。したがって、貯蔵容器内に貯蔵された飲食物への冷気の流入が減少する。よって、貯蔵容器の内部温度が冷蔵庫の貯蔵室の内部温度より高く維持されるので、貯蔵室の所定貯蔵温度範囲より高い理想的な貯蔵温度範囲を有する飲食物を貯蔵容器内に貯蔵することができる。
【図面の簡単な説明】
【図１】従来の冷蔵庫の貯蔵容器の斜視図である。
【図２】本発明によるキムチ冷蔵庫の構造を示す断面図である。
【図３】本発明の一実施例による冷蔵庫の貯蔵容器の分解斜視図である。
【図４】図３に示す貯蔵容器の側断面図である。
【図５】図３に示す貯蔵容器の取っ手を示す断面図である。
【図６】本発明のほかの実施例による冷蔵庫の貯蔵容器の内側容器部の斜視図である。
【符号の説明】
１０　冷蔵庫本体
２０　貯蔵室
２１　ライナー
２２　冷媒管
２３　電熱線
３０　ドア
４０　機械室
４１　圧縮機
４２　凝縮熱交換器
５０　外側容器部
５１　底板
５２　側壁
５３　リブ部
５４　取っ手
６０　内側容器部
６１　底板
６２　側壁
６３　手挿入孔
７０　蓋体
１００　貯蔵容器
【図１】
2004037064.tif 000003
【図２】
2004037064.tif 000004
【図３】
2004037064.tif 000005
【図４】
2004037064.tif 000006
【図５】
2004037064.tif 000007
【図６】
2004037064.tif 000008